(57)【要約】【課題】洗面化粧台本体を使用者が使用している際に、使用者の足などに蹴込板が当たったりして邪魔にならないものでありながら、同蹴込板の周辺の掃除を容易にすることができ、同蹴込板を外観上での見栄えを良く取り付けることができる洗面化粧台を提供することにある。【解決手段】洗面化粧台本体（１）の下部に洗面キャビネット（２）を有しており、この洗面キャビネット（２）の底板（３）前面と面一状に蹴込板（４）を設け、この蹴込板（４）が回転自在に開けられるように同蹴込板（４）の側端部が対向する一対の側板（５）にそれぞれ取り付けられた。【選択図】　　　　図１
2004008695.tif 000002
【特許請求の範囲】
【請求項１】
洗面化粧台本体の下部に洗面キャビネットを有しており、この洗面キャビネットの底板前面と面一状に蹴込板を設け、この蹴込板が回転自在に開けられるように同蹴込板の側端部が対向する一対の側板にそれぞれ取り付けられたことを特徴とする洗面化粧台。
【請求項２】
上記蹴込板の側端部の上部が上記対向する一対の側板にそれぞれ取り付けられたことを特徴とする請求項１記載の洗面化粧台。
【請求項３】
上記蹴込板の側端部が上記対向する一対の側板に回転軸を介してそれぞれ取り付けられ、同蹴込板が回転自在に開けられるようになしたことを特徴とする請求項１または請求項２記載の洗面化粧台。
【請求項４】
上記蹴込板の後側上端縁に同蹴込板の厚さに応じてできるだけアールを付けた大アールを設けたことを特徴とする請求項１ないし請求項３いずれか記載の洗面化粧台。
【請求項５】
上記蹴込板が手前側に回転しすぎるのを阻止するために同蹴込板と上記底板との間に若干の隙間を設けるとともに、同蹴込板の手前側上端縁に若干アールを付けた小アールを設けたことを特徴とする請求項１ないし請求項４いずれか記載の洗面化粧台。
【請求項６】
上記蹴込板の下端部と建物のフロアとの間に若干の隙間を形成していることを特徴とする請求項１ないし請求項５いずれか記載の洗面化粧台。
【発明の詳細な説明】
【０００１】
【発明の属する技術分野】
本発明は、洗面化粧台に関し、具体的には、住宅などの建物内の洗面所などに設置されるのに有用な洗面化粧台に関するものである。
【０００２】
【従来の技術】
従来の洗面化粧台としては、例えば、図４および図５に示すごとく、洗面化粧台本体（１）の下部に扉の付いた箱体構造に形成されている洗面キャビネット（２）を有しており、同洗面化粧台本体（１）の上部に湯や水が出る水栓（１２）やシャワーが設けられているとともに、この水栓（１２）やシャワーから出る湯や水を受ける洗面ボール（１１）を設けていたものであり、さらに、この洗面キャビネット（２）の下部手前側に蹴込板（４）が設けられ、この蹴込板（４）の側端部がＬ型金具（１４）により対向する一対の側板（５）にそれぞれ取り付けられていたようなものが知られていた。
【０００３】
また、図６に示すごとく、上記蹴込板（４）の側端部がダボ（１５）により対向する一対の側板（５）にそれぞれ取り付けられていたようなものも考えられていたものであった。
【０００４】
そして、図４ないし図６に示すいずれの場合も、上記洗面化粧台本体（１）を使用者が使用している際に、使用者の足などに上記蹴込板（４）が当たったりして邪魔にならないように、同蹴込板（４）を上記洗面キャビネット（２）の前面より奥まった位置で取り付けられるような工夫もなされていたものであった。
【０００５】
【発明が解決しようとする課題】
しかしながら、このような洗面化粧台においては、図４ないし図６に示すいずれの場合も、洗面キャビネット（２）の下部手前側に設けられた蹴込板（４）を確実に取り付け固定することができるものの、このように蹴込板（４）は取り付け固定されているために、仮に蹴込板（４）と建物の床との間に隙間があったとしても、蹴込板（４）の下端部などにほこりは溜まるけれども、掃除としては簡単に行えないものであった。
【０００６】
また、上記蹴込板（４）を上記洗面キャビネット（２）の前面より奥まった位置で取り付けられるような場合、洗面化粧台本体（１）を使用者が使用している際に、使用者の足などに蹴込板（４）が当たることは確実になくなり、確かに蹴込板（４）は邪魔にならないものの、このように蹴込板（４）を洗面キャビネット（２）の前面より奥まった位置で取り付けられると、外観上での見栄えとしては良くないものであった。
【０００７】
本発明は、上述の問題を解決するためになされたものであって、その目的とするところは、洗面化粧台本体を使用者が使用している際に、使用者の足などに蹴込板が当たったりして邪魔にならないものでありながら、同蹴込板の周辺の掃除を容易にすることができ、同蹴込板を外観上での見栄えを良く取り付けることができる洗面化粧台を提供するものである。
【０００８】
【課題を解決するための手段】
本発明の請求項１に係る洗面化粧台は、洗面化粧台本体（１）の下部に洗面キャビネット（２）を有しており、この洗面キャビネット（２）の底板（３）前面と面一状に蹴込板（４）を設け、この蹴込板（４）が回転自在に開けられるように同蹴込板（４）の側端部が対向する一対の側板（５）にそれぞれ取り付けられたことを特徴とする。
【０００９】
本発明の請求項２に係る洗面化粧台は、上記蹴込板（４）の側端部の上部が上記対向する一対の側板（５）にそれぞれ取り付けられたことを特徴とする。
【００１０】
本発明の請求項３に係る洗面化粧台は、上記蹴込板（４）の側端部が上記対向する一対の側板（５）に回転軸（６）を介してそれぞれ取り付けられ、同蹴込板（４）が回転自在に開けられるようになしたことを特徴とする。
【００１１】
本発明の請求項４に係る洗面化粧台は、上記蹴込板（４）の後側上端縁に同蹴込板（４）の厚さに応じてできるだけアールを付けた大アール（７）を設けたことを特徴とする。
【００１２】
本発明の請求項５に係る洗面化粧台は、上記蹴込板（４）が手前側に回転しすぎるのを阻止するために同蹴込板（４）と上記底板（３）との間に若干の隙間（９）を設けるとともに、同蹴込板（４）の手前側上端縁に若干アールを付けた小アール（８）を設けたことを特徴とする。
【００１３】
本発明の請求項６に係る洗面化粧台は、上記蹴込板（４）の下端部と建物のフロア（１０）との間に若干の隙間を形成していることを特徴とする。
【００１４】
【発明の実施の形態】
以下、本発明を実施形態に係る図面に基づいて詳しく説明する。
【００１５】
図１は、本発明の一実施形態に係る洗面化粧台を示した全体の断面図である。図２は、本発明の一実施形態に係る洗面化粧台を示した要部のみの側面図である。図３の（ａ）は、本発明の一実施形態に係る洗面化粧台を示した下部周辺のみの正面図であり、図３の（ｂ）は、同図３の（ａ）の洗面化粧台のさらに要部のみの正面図である。
【００１６】
本発明の洗面化粧台は、図１ないし図３に示すごとく、洗面化粧台本体（１）の下部に洗面キャビネット（２）を有しており、この洗面キャビネット（２）の底板（３）前面と面一状に蹴込板（４）を設け、この蹴込板（４）が回転自在に開けられるように同蹴込板（４）の側端部が対向する一対の側板（５）にそれぞれ取り付けられているものである。
【００１７】
上記洗面化粧台本体（１）は、上部に湯や水が出る水栓（１２）やシャワーが設けられており、図１に示すごとく、この水栓（１２）やシャワーから出る湯や水を受ける洗面ボール（１１）を設けているものである。この洗面化粧台本体（１）は、その他にも必要に応じて、上部手前側に鏡が設けられていてもかまわないし、同じく、上部キャビネットやコンセント類、照明器具などが設けられていてもかまわないものである。
【００１８】
上記洗面キャビネット（２）は、図１に示すごとく、上記洗面化粧台本体（１）の下部に有しているものである。この洗面キャビネット（２）の手前側には、例えば、両開き式の扉が取り付けられており、そして、この扉の端部には、蝶番が取り付けられていて同扉が開閉自在となっているものである。また、この洗面キャビネット（２）としては、その他にも、引き出し状のものであってもかまわないものである。
【００１９】
上記蹴込板（４）は、図１ないし図３に示すごとく、上記洗面キャビネット（２）の底板（３）前面と面一状に設けられているものである。この蹴込板（４）は、洗面キャビネット（２）の底板（３）前面と面一状に設けられていれば、高さや厚さなどのサイズは特に問われるものではないものである。
【００２０】
上記側板（５）は、図３の（ａ）に示すごとく、対向するように一対設けられているものであって、上記蹴込板（４）が回転自在に開けられるように同側板（５）に対してそれぞれ同蹴込板（４）の側端部が取り付けられているものである。
【００２１】
本発明は、このような構成をとることによって、洗面化粧台本体（１）の下部に有している洗面キャビネット（２）に収納や配置などができるとともに、この洗面キャビネット（２）の底板（３）前面と面一状に設けられた蹴込板（４）により、底板（３）前面と蹴込板（４）とが面一状に揃っていて外観上での見栄えを良く取り付けることができるものである。また、蹴込板（４）が回転自在に開けられるように同蹴込板（４）の側端部が対向する一対の側板（５）にそれぞれ取り付けられていることで、洗面化粧台本体（１）を使用者が使用している際に、図２の矢印（Ａ）に示すごとく、蹴込板（４）を手前側から後側へ押し込むようにすることで、図１および図２の矢印（Ｂ）に示すごとく、同蹴込板（４）が手前側から後側へ回転して、洗面化粧台本体（１）の前で使用者が座って使用しても、使用者の足などに同蹴込板（４）が当たったりして邪魔にならないものとなる上に、同蹴込板（４）の周辺の掃除をする際にも、図２の矢印（Ａ）に示すごとく、蹴込板（４）を手前側から後側へ押し込むようにすることで、図１および図２の矢印（Ｂ）に示すごとく、同蹴込板（４）が手前側から後側へ回転して、掃除としても容易にすることができるものである。なお、図２の矢印（Ａ）に示すごとき蹴込板（４）を手前側から後側へ押し込む力を除くと、同蹴込板（４）は自重で元の状態に戻るものである。
【００２２】
すなわち、本発明は、洗面化粧台本体（１）を使用者が使用している際に、使用者の足などに蹴込板（４）が当たったりして邪魔にならないものでありながら、同蹴込板（４）の周辺の掃除を容易にすることができ、同蹴込板（４）を外観上での見栄えを良く取り付けることができるものである。
【００２３】
また、図１ないし図３に示すごとく、上記蹴込板（４）の側端部の上部が上記対向する一対の側板（５）にそれぞれ取り付けられているものであると、洗面化粧台本体（１）を使用者が使用している際に、蹴込板（４）の側端部の上部が一対の側板（５）にそれぞれ取り付けられていることにより、図２の矢印（Ａ）に示すごとく、蹴込板（４）を手前側から後側へ押し込むようにすることで、図１および図２の矢印（Ｂ）に示すごとく、同蹴込板（４）が手前側から後側へ確実に回転して、使用者の足などに同蹴込板（４）が当たったりして邪魔になることはより一層確実になくなる上に、同蹴込板（４）の周辺の掃除をする際にも、図２の矢印（Ａ）に示すごとく、蹴込板（４）を手前側から後側へ押し込むようにすることで、図１および図２の矢印（Ｂ）に示すごとく、同蹴込板（４）が手前側から後側へ確実に回転して、掃除としてもより一層容易にすることができるものである。
【００２４】
さらに、図１ないし図３に示すごとく、上記蹴込板（４）の側端部が上記対向する一対の側板（５）に回転軸（６）を介してそれぞれ取り付けられ、同蹴込板（４）が回転自在に開けられるようになしているものであると、洗面化粧台本体（１）を使用者が使用している際に、回転軸（６）の存在により、図２の矢印（Ａ）に示すごとく、蹴込板（４）を手前側から後側へ押し込むようにすることで、図１および図２の矢印（Ｂ）に示すごとく、同蹴込板（４）が手前側から後側へ確実に回転軸（６）を中心として回転して、使用者の足などに同蹴込板（４）が当たったりして邪魔になることはより一層確実になくなる上に、同蹴込板（４）の周辺の掃除をする際にも、図２の矢印（Ａ）に示すごとく、蹴込板（４）を手前側から後側へ押し込むようにすることで、図１および図２の矢印（Ｂ）に示すごとく、同蹴込板（４）が手前側から後側へ確実に回転軸（６）を中心として回転して、掃除としてもより一層容易にすることができるものである。
【００２５】
上記回転軸（６）の太さなどのサイズとしては、例えば、上記蹴込板（４）や上記側板（５）の厚さや大きさなどに応じて自由自在に設定することができるものである。
【００２６】
そして、図１および図２に示すごとく、上記蹴込板（４）の後側上端縁に同蹴込板（４）の厚さに応じてできるだけアールを付けた大アール（７）を設けているものであると、洗面化粧台本体（１）を使用者が使用している際に、蹴込板（４）の厚さに応じてできるだけアールを付けた大アール（７）により、図２の矢印（Ａ）に示すごとく、蹴込板（４）を手前側から後側へ押し込むようにすることで、図１および図２の矢印（Ｂ）に示すごとく、同蹴込板（４）が手前側から後側へ確実に回転して、使用者の足などに同蹴込板（４）が当たったりして邪魔になることはより一層確実になくなる上に、同蹴込板（４）の周辺の掃除をする際にも、図２の矢印（Ａ）に示すごとく、蹴込板（４）を手前側から後側へ押し込むようにすることで、上記大アール（７）により、図１および図２の矢印（Ｂ）に示すごとく、同蹴込板（４）が手前側から後側へ確実に回転して、掃除としてもより一層容易にすることができるものである。
【００２７】
しかも、図１および図２に示すごとく、上記蹴込板（４）が手前側に回転しすぎるのを阻止するために同蹴込板（４）と上記底板（３）との間に若干の隙間（９）を設けるとともに、同蹴込板（４）の手前側上端縁に若干アールを付けた小アール（８）を設けているものであると、蹴込板（４）と底板（３）との間に設けた若干の隙間（９）により、蹴込板（４）が手前側に若干回転することができるものの、蹴込板（４）の手前側上端縁に若干アールを付けた小アール（８）の存在により、底板（３）の下面側に蹴込板（４）が当たって、同蹴込板（４）が手前側に回転しすぎるのを確実に阻止しているものである。
【００２８】
また、図２および図３の（ａ）、（ｂ）に示すごとく、上記蹴込板（４）の下端部と建物のフロア（１０）との間に若干の隙間を形成しているものであると、洗面化粧台本体（１）を使用者が使用している際に、蹴込板（４）の下端部と建物のフロア（１０）との間に形成された若干の隙間により、図２の矢印（Ａ）に示すごとく、蹴込板（４）を手前側から後側へ押し込むようにすることで、図１および図２の矢印（Ｂ）に示すごとく、同蹴込板（４）が手前側から後側へ簡単、かつ、確実に回転して、使用者の足などに同蹴込板（４）が当たったりして邪魔になることはより一層確実になくなる上に、同蹴込板（４）の周辺の掃除をする際にも、蹴込板（４）の下端部と建物のフロア（１０）との間に形成された若干の隙間により、図２の矢印（Ａ）に示すごとく、蹴込板（４）を手前側から後側へ押し込むようにすることで、図１および図２の矢印（Ｂ）に示すごとく、同蹴込板（４）が手前側から後側へ簡単、かつ、確実に回転して、掃除としてもより一層容易にすることができるものである。
【００２９】
具体的には、図２および図３の（ａ）、（ｂ）に示すごとき上記側板（５）の下面側に脚（１３）を取り付けて、この脚（１３）により、上記蹴込板（４）の下端部と建物のフロア（１０）との間に若干の隙間を形成させているものである。
【００３０】
本発明の洗面化粧台によると、図１ないし図６に示すごとく、洗面化粧台本体（１）の下部に洗面キャビネット（２）を有しており、この洗面キャビネット（２）の底板（３）前面と面一状に蹴込板（４）を設け、この蹴込板（４）が回転自在に開けられるように同蹴込板（４）の側端部が対向する一対の側板（５）にそれぞれ取り付けられたので、洗面化粧台本体（１）の下部に有している洗面キャビネット（２）に収納や配置などができるとともに、この洗面キャビネット（２）の底板（３）前面と面一状に設けられた蹴込板（４）により、底板（３）前面と蹴込板（４）とが面一状に揃っていて外観上での見栄えを良く取り付けることができるものである。また、蹴込板（４）が回転自在に開けられるように同蹴込板（４）の側端部が対向する一対の側板（５）にそれぞれ取り付けられていることで、洗面化粧台本体（１）を使用者が使用している際に、図２の矢印（Ａ）に示すごとく、蹴込板（４）を手前側から後側へ押し込むようにすることで、図１および図２の矢印（Ｂ）に示すごとく、同蹴込板（４）が手前側から後側へ回転して、洗面化粧台本体（１）の前で使用者が座って使用しても、使用者の足などに同蹴込板（４）が当たったりして邪魔にならないものとなる上に、同蹴込板（４）の周辺の掃除をする際にも、図２の矢印（Ａ）に示すごとく、蹴込板（４）を手前側から後側へ押し込むようにすることで、図１および図２の矢印（Ｂ）に示すごとく、同蹴込板（４）が手前側から後側へ回転して、掃除としても容易にすることができるものである。なお、図２の矢印（Ａ）に示すごとき蹴込板（４）を手前側から後側へ押し込む力を除くと、同蹴込板（４）は自重で元の状態に戻るものである。
【００３１】
すなわち、本発明は、洗面化粧台本体（１）を使用者が使用している際に、使用者の足などに蹴込板（４）が当たったりして邪魔にならないものでありながら、同蹴込板（４）の周辺の掃除を容易にすることができ、同蹴込板（４）を外観上での見栄えを良く取り付けることができるものである。
【００３２】
【発明の効果】
本発明の請求項１に係る洗面化粧台によると、洗面化粧台本体（１）の下部に有している洗面キャビネット（２）に収納や配置などができるとともに、この洗面キャビネット（２）の底板（３）前面と面一状に設けられた蹴込板（４）により、底板（３）前面と蹴込板（４）とが面一状に揃っていて外観上での見栄えを良く取り付けることができるものである。また、蹴込板（４）が回転自在に開けられるように同蹴込板（４）の側端部が対向する一対の側板（５）にそれぞれ取り付けられていることで、洗面化粧台本体（１）を使用者が使用している際に、蹴込板（４）を手前側から後側へ押し込むようにすることで、同蹴込板（４）が手前側から後側へ回転して、洗面化粧台本体（１）の前で使用者が座って使用しても、使用者の足などに同蹴込板（４）が当たったりして邪魔にならないものとなる上に、同蹴込板（４）の周辺の掃除をする際にも、蹴込板（４）を手前側から後側へ押し込むようにすることで、同蹴込板（４）が手前側から後側へ回転して、掃除としても容易にすることができるものである。なお、蹴込板（４）を手前側から後側へ押し込む力を除くと、同蹴込板（４）は自重で元の状態に戻るものである。
【００３３】
すなわち、本発明は、洗面化粧台本体（１）を使用者が使用している際に、使用者の足などに蹴込板（４）が当たったりして邪魔にならないものでありながら、同蹴込板（４）の周辺の掃除を容易にすることができ、同蹴込板（４）を外観上での見栄えを良く取り付けることができるものである。
【００３４】
本発明の請求項２に係る洗面化粧台によると、請求項１記載の場合に加えて、洗面化粧台本体（１）を使用者が使用している際に、蹴込板（４）の側端部の上部が一対の側板（５）にそれぞれ取り付けられていることにより、蹴込板（４）を手前側から後側へ押し込むようにすることで、同蹴込板（４）が手前側から後側へ確実に回転して、使用者の足などに同蹴込板（４）が当たったりして邪魔になることはより一層確実になくなる上に、同蹴込板（４）の周辺の掃除をする際にも、蹴込板（４）を手前側から後側へ押し込むようにすることで、同蹴込板（４）が手前側から後側へ確実に回転して、掃除としてもより一層容易にすることができるものである。
【００３５】
本発明の請求項３に係る洗面化粧台によると、請求項１または請求項２記載の場合に加えて、洗面化粧台本体（１）を使用者が使用している際に、回転軸（６）の存在により、蹴込板（４）を手前側から後側へ押し込むようにすることで、同蹴込板（４）が手前側から後側へ確実に回転軸（６）を中心として回転して、使用者の足などに同蹴込板（４）が当たったりして邪魔になることはより一層確実になくなる上に、同蹴込板（４）の周辺の掃除をする際にも、蹴込板（４）を手前側から後側へ押し込むようにすることで、同蹴込板（４）が手前側から後側へ確実に回転軸（６）を中心として回転して、掃除としてもより一層容易にすることができるものである。
【００３６】
本発明の請求項４に係る洗面化粧台によると、請求項１ないし請求項３いずれか記載の場合に加えて、洗面化粧台本体（１）を使用者が使用している際に、蹴込板（４）の厚さに応じてできるだけアールを付けた大アール（７）により、蹴込板（４）を手前側から後側へ押し込むようにすることで、同蹴込板（４）が手前側から後側へ確実に回転して、使用者の足などに同蹴込板（４）が当たったりして邪魔になることはより一層確実になくなる上に、同蹴込板（４）の周辺の掃除をする際にも、蹴込板（４）を手前側から後側へ押し込むようにすることで、上記大アール（７）により、同蹴込板（４）が手前側から後側へ確実に回転して、掃除としてもより一層容易にすることができるものである。
【００３７】
本発明の請求項５に係る洗面化粧台によると、請求項１ないし請求項４いずれか記載の場合に加えて、蹴込板（４）と底板（３）との間に設けた若干の隙間（９）により、蹴込板（４）が手前側に若干回転することができるものの、蹴込板（４）の手前側上端縁に若干アールを付けた小アール（８）の存在により、底板（３）の下面側に蹴込板（４）が当たって、同蹴込板（４）が手前側に回転しすぎるのを確実に阻止しているものである。
【００３８】
本発明の請求項６に係る洗面化粧台によると、請求項１ないし請求項５いずれか記載の場合に加えて、洗面化粧台本体（１）を使用者が使用している際に、蹴込板（４）の下端部と建物のフロア（１０）との間に形成された若干の隙間により、蹴込板（４）を手前側から後側へ押し込むようにすることで、同蹴込板（４）が手前側から後側へ簡単、かつ、確実に回転して、使用者の足などに同蹴込板（４）が当たったりして邪魔になることはより一層確実になくなる上に、同蹴込板（４）の周辺の掃除をする際にも、蹴込板（４）の下端部と建物のフロア（１０）との間に形成された若干の隙間により、蹴込板（４）を手前側から後側へ押し込むようにすることで、同蹴込板（４）が手前側から後側へ簡単、かつ、確実に回転して、掃除としてもより一層容易にすることができるものである。
【図面の簡単な説明】
【図１】本発明の一実施形態に係る洗面化粧台を示した全体の断面図である。
【図２】本発明の一実施形態に係る洗面化粧台を示した要部のみの側面図である。
【図３】（ａ）は、本発明の一実施形態に係る洗面化粧台を示した下部周辺のみの正面図であり、（ｂ）は、（ａ）の洗面化粧台のさらに要部のみの正面図である。
【図４】一従来例に係る洗面化粧台を示した全体の断面図である。
【図５】一従来例に係る洗面化粧台を示した要部のみの断面図である。
【図６】他の一従来例に係る洗面化粧台を示した要部のみの断面図である。
【符号の説明】
１　　洗面化粧台本体
２　　洗面キャビネット
３　　底板
４　　蹴込板
５　　側板
６　　回転軸
７　　大アール
８　　小アール
９　　隙間
１０　フロア
【図１】
2004008695.tif 000003
【図２】
2004008695.tif 000004
【図３】
2004008695.tif 000005
【図４】
2004008695.tif 000006
【図５】
2004008695.tif 000007
【図６】
2004008695.tif 000008